(57)【特許請求の範囲】
【請求項１】
回路基板と、
並べて配置され、前記回路基板に搭載される、複数のハウジングと、
複数のケージであって、該複数のケージのうちのそれぞれ１つは、前記複数のハウジングのうちの１つを包囲し、前記ケージのそれぞれは、第１のポートを画定する前面を含み、かつ該前面付近のケージの周辺部の周りに延在する電磁干渉（ＥＭＩ）ガスケットをさらに含み、前記複数のケージは、所定の距離で離間される、複数のケージと、
該複数のケージの周りに位置付けられる、熱ワッシャであって、該熱ワッシャは、前面部分および主要部分を含み、該前面部分および主要部分のそれぞれは、空気開口部を含み、前記主要部分は、前記所定の距離にわずかに満たない第２の幅であり、前記主要部分は、前記ＥＭＩガスケットを係合し、前記前面部分は、前記所定の距離よりわずかに大きい第１の幅を有し、前記前面部分は、前記熱ワッシャの前記前面部分が、動作時に、前記前面を越えて押圧されることを防ぐように、前記前面を係合する、熱ワッシャと、を備える、コネクタシステム。
【請求項２】
前記複数のケージの前記前面の周りに延在するベゼルをさらに備え、前記熱ワッシャは、前記ベゼルに対して押圧するように構成されるシーリング面を有する、請求項１に記載のコネクタシステム。
【請求項３】
前記シーリング面と前記ベゼルとの間で加圧され、前記シーリング面と前記ベゼルとの間に位置付けられる、シールをさらに備える、請求項２に記載のコネクタシステム。
【請求項４】
前記ハウジングおよび前記ケージはそれぞれ、２つのポートを提供するように構成され、該２つのポートのうちの一方は、前記２つのポートのうちの他方の上に積み重ねられる、請求項３に記載のコネクタシステム。
【請求項５】
前記ＥＭＩガスケットは、複数のフィンガーであり、前記主要部分は、前記フィンガーのうちの少なくとも一部を湾曲させる、請求項４に記載のコネクタシステム。
【請求項６】
前記シーリング面は、前記前面部分が、前記前面に配置され、前記主要部分が、後方に陥凹し、前記シーリング面が、前記主要部分と比べて、さらに後方に陥凹するように、前記主要部分の後方に位置付けられる、請求項５に記載のコネクタシステム。
【発明の詳細な説明】
【技術分野】
【０００１】
関連出願
本出願は、２０１２年５月４日に出願された米国仮特許出願第６１／６４２，７７１号の優先権を主張するものであり、参照によりその全体が本明細書に組み込まれる。
【０００２】
本発明は、入力／出力（ＩＯ）コネクタの分野に関し、より具体的には、連結された構成におけるＩＯコネクタに関する。
【背景技術】
【０００３】
ＩＯコネクタの使用が知られている。１つの典型的な用途は、サーバまたはスイッチである。十分な数のＩＯポートを提供するために、連結された構成と呼ばれる構成において、並べて複数のＩＯコネクタを提供することが一般的である。連結されたコネクタの使用は、所与の幅のスイッチがさらなるポートを有することが可能であるように、コネクタ間のスペースを減少させる。増加したポートの数に起因して生じた１つの課題は、システムを冷却することがより困難となったことである。この冷却の課題は、ポート内に位置付けられているモジュールが、過去に頻繁に使用されたパッシブコンポーネントと比べて、アクティブ（例えば、電力を消費する）コンポーネントをますます要求しているという事実によって、さらに悪化する。したがって、連続的なケージシステムを使用した既存の連結されたソリューションは、熱性能の課題に起因して使用が困難になっている。その結果として、当業者は、連結されたコネクタシステムへのさらなる向上を理解する。
【発明の概要】
【課題を解決するための手段】
【０００４】
コネクタシステムは、複数のケージを含み、各ケージは、別々にハウジングを包囲し、各ケージは、少なくとも１つのポートを画定する。ケージは、隣接するケージ間に間隙が存在するように離間される。熱ワッシャは、複数のケージの周りに提供される。熱ワッシャは、空気が間隙間を流れることを可能にするように、空気開口部を含む。熱ワッシャは、ケージの前面を係合するように構成される前面部分を含むことができ、さらに、熱ワッシャがベゼルに対してシールすることを可能にするシーリング表面を含むことができる。
【０００５】
本発明は、例として説明され、同様の参照番号が類似の要素を示す添付の図面に限定されない。
【図面の簡単な説明】
【０００６】
【図１】連結されたコネクタシステムの実施形態の簡略化した斜視図である。
【図２】連結されたコネクタシステムの実施形態の正面図である。
【図３】連結されたコネクタシステムの実施形態の部分斜視図である。
【図４】連結されたコネクタシステムの実施形態の側面図である。
【図５】連結されたコネクタシステムの実施形態の部分分解斜視図である。
【図６】熱ワッシャの実施形態の斜視図である。
【発明を実施するための形態】
【０００７】
続く発明を実施するための形態は、例示的な実施形態を記載し、明確に開示された組み合わせに限定されるよう意図されない。したがって、別途述べられない限り、本明細書に開示される特徴は、共に組み合わされて、簡潔さの目的のために示されなかったさらなる組み合わせを形成し得る。
【０００８】
図１〜６は、連結されたコネクタシステム１０に組み入れられ得る特徴を例示する。回路基板４０は、ハウジングがそれぞれ別々に包囲されるように、複数のケージ２０が各ハウジング１５の周りに位置付けられた状態で、離間された構成において並べて位置付けられる、複数のハウジング１５を支持する。理解されるように、各隣接するケージ２０の隣接する外壁２１間に間隙１７があり、間隙１７は、隣接するケージ２０間に所定の距離を提供する。
【０００９】
示されるように、ケージ２０（および対応するハウジング１５）はそれぞれ、第１のポート２８ａおよび第２のポート２８ｂを提供し、２つのポートは、積み重ねられた構成にある。しかしながら、所望される場合、ケージ２０およびハウジング１５は、単一のポートを提供するように構成され得ることに留意すべきである。そのような構成は、電力プロファイルであるが、回路基板４０の前面縁部ごとに提供するポート数も少ない。
【００１０】
ベゼル６０が示され、ベゼル６０は、複数のケージ２０の周りに延在する開口を有する。ベゼル６０は、開口を定義するへり６２を含み、従来の様式でスイッチまたはサーバを形成する構造を支持することができる後面６４を含む。
【００１１】
理解されるように、示されたケージ２０は、前面縁部２２と、空気および／またはインジケータ（光パイプでの使用に適切なもの等）に適切な開口部を有する前面２５と、を有する。熱ワッシャ８０は、第１の幅Ｄ１を有する前面部分を提供するように縁部８５を有する前面部分８４を含む。前面部分８４は、ケージの前面２５および／または前面縁部２２に対して押圧するように構成される。熱ワッシャ８０は、幅Ｄ２を有する主要部分８３をさらに含み、主要部分は、ケージ２０間に位置付けられるよう意図され、電磁干渉（ＥＭＩ）ガスケット２９を係合することができる。ＥＭＩガスケットは、前面付近のケージの周辺部の周りに延在し、ケージがベゼルに挿入されるときに、ケージが適切なＥＭＩ保護を有することを可能にする。示されるように、ＥＭＩガスケット２９は、フィンガーを含み、主要部分８３は、フィンガーを係合し、それらを湾曲させる。理解されるように、幅Ｄ１は、幅Ｄ２より大きく、ケージ２０の前面が熱ワッシャ８０を係合することを可能にする。
【００１２】
熱ワッシャ８０は、空気が熱ワッシャを通り、ケージ２０間の間隙１７内を流れることを可能にするように構成される、複数の空気開口部８６を含む。空気開口部８６は、前面部分８４および主要部分８３の両方に提供される。熱ワッシャ８０は、シーリング表面８８とベゼル６０の後面６４との間でシール９６を加圧するように構成されるシーリング表面８８も含む。シール９６は、コネクタシステムが良好なＥＭＩ保護を提供することができるように、ＥＭＩを遮断するのに役立つように構成することができる。したがって、熱ワッシャ８０は、適切なＥＭＩ保護を提供しながら、熱的に有用な空気流を可能にする。加えて、熱ワッシャの設計は、ケージ２０の前面が熱ワッシャ８０に対して押圧することを可能にし、その力により、シーリング表面８８は、ベゼル６０の後面６４に対してシール９６を加圧させる。
【００１３】
本明細書に提供される開示は、その好ましく、例示的な実施形態に関する特徴を記載する。本開示を再検討して、当業者には、添付の特許請求の範囲の範囲および趣旨内の多くの他の実施形態、修正、および変更が想起されるであろう。
【図１】
0005897765.tif 000002
【図２】
0005897765.tif 000003
【図３】
0005897765.tif 000004
【図４】
0005897765.tif 000005
【図５】
0005897765.tif 000006
【図６】
0005897765.tif 000007